(57)【要約】【課題】エンドキャップの側面給油穴に、複数の潤滑油経路に対し、使用される潤滑油経路に応じた貫通穴の追加工作業が容易であり、また、追加工した貫通穴を目視で容易に確認し得る直動案内装置用エンドキャップを提供する。【解決手段】このエンドキャップ７は、潤滑剤供給口２６とするための側面給油穴３０を有し、側面給油穴３０は、その給油穴底面３２に且つ貫通穴２７を追加工すべき位置に複数の加工用下穴２８、２９を有し、加工用下穴２８、２９は、側面給油穴３０の開口側から見た形状が多角形とされた凹形状である多角形凹形状であり、複数の潤滑油経路２１，２２に対して、リニアガイド１０の装着姿勢等の仕様に応じて使用される潤滑油経路に応じた位置に成形されている。【選択図】図２
2015143557.tif 000002
【特許請求の範囲】
【請求項１】
左右の両側面に転動体転動溝をそれぞれ有する案内レールと、その案内レールの転動体転動溝に対向する転動体転動溝を左右一対の袖部の内側面にそれぞれ有し且つ該一対の袖部に自身の軸方向に貫通する転動体戻し通路を有するとともに前記案内レールに跨設されるスライダ本体とを備え、前記スライダ本体が複数の転動体を介して前記案内レールに沿って相対移動する直動案内装置に用いられ、
前記スライダ本体の前後両端それぞれに取り付けられて、前記一対の袖部それぞれに対応して設けられて前記案内レールおよびスライダ本体の両転動体転動溝からなる転動体転動路と前記転動体戻し通路とを前記複数の転動体を循環させるように連通させる複数の方向転換路と、その複数の方向転換路に潤滑剤を供給する潤滑油経路と、その潤滑油経路にエンドキャップの側面外部から潤滑剤を供給する潤滑剤供給口を形成するための側面給油穴とを有するエンドキャップであって、
当該エンドキャップは、複数の潤滑油経路を有し、エンドキャップの成形時には前記複数の潤滑油経路に通じる貫通穴が前記側面給油穴に成形されておらず、使用される潤滑油経路に応じて前記潤滑剤供給口とする給油側の前記側面給油穴に前記貫通穴を追加工するものであり、
前記貫通穴が未加工時の側面給油穴は、その給油穴底面に且つ前記使用される潤滑油経路に応じた貫通穴を追加工すべき位置に、複数の加工用下穴が形成されており、複数の加工用下穴は、前記側面給油穴の開口側から見た形状が多角形とされた凹形状である多角形凹形状に成形されていることを特徴とする直動案内装置用エンドキャップ。
【請求項２】
前記複数の加工用下穴は、相互に異なる多角形状により成形されていることを特徴とする請求項１に記載の直動案内装置用エンドキャップ。
【請求項３】
前記複数の加工用下穴は、前記側面給油穴に二箇所形成されており、一方の加工用下穴は、直動案内装置の水平姿勢仕様に応じた潤滑油経路に通じる貫通穴の追加工作業用であり、他方の加工用下穴は、直動案内装置の垂直姿勢仕様に応じた潤滑油経路に通じる貫通穴の追加工作業用であることを特徴とする請求項２に記載の直動案内装置用エンドキャップ。
【請求項４】
前記複数の加工用下穴は、一方の多角形凹形状が、前記側面給油穴の開口側から見た形状が三角形とされた凹形状である三角形凹形状であり、他方の多角形凹形状が、前記側面給油穴の開口側から見た形状が四角形とされた凹形状である四角形凹形状であることを特徴とする請求項３に記載の直動案内装置用エンドキャップ。
【請求項５】
前記側面給油穴は、前記エンドキャップの両側面にそれぞれ設けられ、前記両側面の側面給油穴は、前記複数の加工用下穴が、相互に異なった多角形凹形状によって成形されていることを特徴とする請求項１に記載の直動案内装置用エンドキャップ。
【請求項６】
案内レールと、該案内レールに跨設されるスライダ本体と、該スライダ本体の前後両端それぞれに取り付けられるエンドキャップとを備え、前記スライダ本体が複数の転動体を介して前記案内レールに沿って相対移動する直動案内装置であって、
前記エンドキャップとして、請求項１〜５のいずれか一項に記載の直動案内装置用エンドキャップを備えていることを特徴とする直動案内装置。
【発明の詳細な説明】
【技術分野】
【０００１】
本発明は、例えば製造装置や加工機械等の各種機械に用いられ、スライダが複数の転動体を介して案内レールに沿って相対移動可能な直動案内装置に係り、特に、この種の直動案内装置に好適に用いることができるエンドキャップに関する。
【背景技術】
【０００２】
この種の直動案内装置は、例えば図７に例示する直動案内装置１００のように、自身外面の左右側面部に複数の転動体転動溝４を有する案内レール１と、その案内レール１に跨設されて案内レール１の転動体転動溝４に対向する転動体転動溝６を内面に有するスライダ１０２とを備えて構成されている。
同図に示すように、スライダ１０２は、スライダ本体５と、その両端面部に装着された一対のエンドキャップ１０７とを有している。各エンドキャップ１０７の内部には、略Ｕ字状の方向転換路（不図示）がそれぞれに形成されている。各方向転換路は、スライダ本体５の転動体戻し通路１１、および、案内レール１およびスライダ本体５の両転動体転動溝４，６からなる転動体転動路８の端部同士を繋いで円環状の無限循環路が複数構成されている。そして、その複数の無限循環路内には、エンドキャップ１０７の方向転換路およびスライダ本体５の転動体戻し通路１１に遊嵌するとともに転動体転動路８に介装された状態に複数の転動体３がそれぞれ充填される。
【０００３】
これにより、この種の直動案内装置は、充填された複数の転動体３が、案内レール１に対するスライダ１０２の相対移動に伴って各無限循環路内を転動し、一方のエンドキャップ１０７内の方向転換路で方向転換した後、転動体戻し通路１１に導入されて反対側の方向転換路から再び転動体転動路８に戻るという循環をしつつ、これら複数の転動体３を介してスライダ１０２が案内レール１の長手方向に沿って円滑に相対移動するようになっている。
【０００４】
さらに、この種の直動案内装置では、その案内レールとスライダ相互の相対移動をより円滑にするために、エンドキャップに、その内部の方向転換路から各無限循環路内に潤滑剤を供給するための潤滑油経路１２１が形成されている。
同図の例では、エンドキャップ１０７の幅方向中央部に、正面給油口２５を設けており、この正面給油口２５にニップル２６ｎが取り付けられている。そして、正面給油口２５に連通する潤滑油経路１２１をエンドキャップ１０７の、スライダ本体５側面との対向面に形成している。ニップル２６ｎから潤滑油経路１２１を介して潤滑剤が左右の各方向転換路に供給されるようになっている。そして、各方向転換路から各無限循環路内に供給された潤滑剤によって、案内レール１とスライダ１０２相互の相対移動をより円滑にするとともに、長期に亘って安定した性能を維持することを可能としている。
【先行技術文献】
【特許文献】
【０００５】
【特許文献１】特開２００８−２９１９６７号公報
【発明の概要】
【発明が解決しようとする課題】
【０００６】
ところで、この種の直動案内装置を、例えばＸ−Ｙテーブル装置の案内として使用し、且つ、潤滑剤を外部から供給する構成で用いる際に、直動案内装置の仕様（取付姿勢、給油位置）や装置周辺の部材構成との兼ね合いで、潤滑剤供給用の配管を、上述のような直動案内装置のスライダの幅方向中央の正面給油口２５の位置に接続できない場合がある。このような場合、例えば図８に例示するように、エンドキャップ１０７の側面１０７ｔに、側面用の潤滑剤供給口２６設け、その潤滑剤供給口２６に潤滑剤供給用の配管を接続する必要が生じる。
【０００７】
ここで、例えば特許文献１に記載の技術では、エンドキャップ１０７の成形時には、図８の左側に示す側面給油穴１３０のように、エンドキャップ１０７の潤滑剤供給口２６とするための側面給油穴１３０には、潤滑油経路１２１に通じる貫通穴２７が未だ成形されていない。そのため、エンドキャップ１０７の側面給油穴１３０から潤滑剤を給油する際には、給油側の側面給油穴１３０の給油穴底面１３２に潤滑油経路１２１に通じるように、同図右側に示すような貫通穴２７が追加工される。この際、貫通穴２７を追加工後のエンドキャップは在庫されるが、取付姿勢や給油位置等の直動案内装置の仕様により、仕様に応じた給油位置に合わせて、追加工箇所が異なる数種のエンドキャップを用意する必要がある。そのため、直動案内装置へのエンドキャップの組み付け時に、貫通穴の追加工箇所が異なるエンドキャップを誤って組付ける可能性がある。
【０００８】
ここで、特許文献１など、一般的には、側面給油穴１３０には、その給油穴底面１３２に、側面給油穴の開口側から見た形状が円形で凹形状とされた円形凹形状を加工用下穴１２８として設けている（図９（ａ）参照）。
しかし、加工用下穴１２８が円形凹形状であると、図９（ｂ）に示すように、追加工後の貫通穴２７は、追加工前の円形凹形状の加工用下穴１２８（同図（ａ））に対し、追加工の前後で給油穴底面３２に視認される形状がほとんど変化しない。そのため、目視で追加工前後の状態を識別するのが困難であるという問題がある。
【０００９】
特に、直動案内装置の型番が小さい程、エンドキャップも小さくなるため、貫通穴の有無を目視で識別しにくくなる。また、エンドキャップはグリースや油、また、クーラント液などから受ける汚れが目立たないように、黒色の色相を使うことがある。そのため、このような場合には目視での追加工前後の状態を識別することが一層困難である。なお、図７に示す、エンドキャップ中央の正面給油口２５に関しては、目視で確認できる程の大きな給油穴が成形されるため、上記問題は発生しない。
【００１０】
これに対し、追加工前後の加工状態の確認方法として、貫通穴にエアーを流したり、針金の様な細い棒を貫通穴に通したりするなどの方法も考えられるものの、これらの方法では、確認のための道具が必要であるし、また確認の作業工程が長くなる。そのため、生産性の低下を招くという問題がある。さらに、直動案内装置の取付姿勢や給油位置等の直動案内装置の仕様により、エンドキャップ内に複数の潤滑油経路を設けるとともに、潤滑油経路に応じた複数の加工用下穴を形成する場合もあるところ、上述したような問題は、このような複数の潤滑油経路と加工用下穴を設けたエンドキャップにおいては、より顕著な問題となる。
【００１１】
そこで、本発明は、このような問題点に着目してなされたものであって、複数の潤滑油経路を有するエンドキャップの側面給油穴において、仕様に応じた潤滑油経路に通じる貫通穴の追加工作業が容易であり、また、追加工した貫通穴を目視で容易に確認し得る直動案内装置用エンドキャップおよびこれを備える直動案内装置を提供することを目的とする。
【課題を解決するための手段】
【００１２】
上記課題を解決するために、本発明の一態様に係る直動案内装置用エンドキャップは、左右の両側面に転動体転動溝をそれぞれ有する案内レールと、その案内レールの転動体転動溝に対向する転動体転動溝を左右一対の袖部の内側面にそれぞれ有し且つ該一対の袖部に自身の軸方向に貫通する転動体戻し通路を有するとともに前記案内レールに跨設されるスライダ本体とを備え、前記スライダ本体が複数の転動体を介して前記案内レールに沿って相対移動する直動案内装置に用いられ、前記スライダ本体の前後両端それぞれに取り付けられて、前記一対の袖部それぞれに対応して設けられて前記案内レールおよびスライダ本体の両転動体転動溝からなる転動体転動路と前記転動体戻し通路とを前記複数の転動体を循環させるように連通させる複数の方向転換路と、その複数の方向転換路に潤滑剤を供給する潤滑油経路と、その潤滑油経路にエンドキャップの側面外部から潤滑剤を供給する潤滑剤供給口を形成するための側面給油穴とを有するエンドキャップであって、当該エンドキャップは、複数の潤滑油経路を有し、エンドキャップの成形時には前記複数の潤滑油経路に通じる貫通穴が前記側面給油穴に成形されておらず、使用される潤滑油経路に応じて前記潤滑剤供給口とする給油側の前記側面給油穴に前記貫通穴を追加工するものであり、前記貫通穴が未加工時の側面給油穴は、その給油穴底面に且つ前記使用される潤滑油経路に応じた貫通穴を追加工すべき位置に、複数の加工用下穴が形成されており、複数の加工用下穴は、前記側面給油穴の開口側から見た形状が多角形とされた凹形状である多角形凹形状に成形されていることを特徴とする。
【００１３】
本発明の一態様に係る直動案内装置用エンドキャップによれば、複数の加工用下穴は、使用される潤滑油経路に応じた貫通穴を追加工すべき位置に、多角形凹形状に成形されているので、仕様に応じた潤滑油経路に通じる貫通穴の追加工作業が容易である。
そして、使用される潤滑油経路に通じる貫通穴の追加工後には、多角形凹形状が円形状の貫通穴に変化する。そのため、追加工前後の識別が目視で容易に確認できる。したがって、給油位置に合わせて追加工箇所が異なる数種のエンドキャップが存在（在庫）した場合であっても、エンドキャップの使用前に追加工箇所を目視で確認するだけで、直動案内装置への誤組み付けを防止できるため、品質向上につながる。
【００１４】
また、エアーを吹いたり針金を通したりして貫通状態を確認するよりも容易に短時間で追加工前後の状態を識別することができるため、生産性の低下を抑制できる。また、潤滑油経路に通じる貫通穴を加工用下穴に追加工する際に、多角形凹形状の壁面によってドリルの周面を位置決めすることができるので、一般的な円形凹形状に比べて安定した位置決め姿勢で追加工をすることができる。また、エンドキャップに対して垂直に貫通穴を加工し易くなる。よって、貫通穴が潤滑油経路から外れる追加工ミスが軽減されるため、品質の向上につながる。
【００１５】
ここで、本発明の一態様に係る直動案内装置用エンドキャップにおいて、前記複数の加工用下穴は、相互に異なる多角形状により成形されていることは好ましい。このような構成であれば、側面給油穴に貫通穴を追加工する際に、追加工する加工用下穴と追加工しない加工用下穴とを、複数の加工用下穴相互の凹形状の違いによって作業者に指示することができる。また、作業者はそれを目視によって確認することができる。そのため、追加工箇所のミスを低減でき、一層の品質向上につながる。
【００１６】
また、前記複数の加工用下穴は、前記側面給油穴に二箇所形成されており、一方の加工用下穴は、直動案内装置の水平姿勢仕様に応じた潤滑油経路に通じる貫通穴の追加工作業用であり、他方の加工用下穴は、直動案内装置の垂直姿勢仕様に応じた潤滑油経路に通じる貫通穴の追加工作業用であることは好ましい。この場合において、例えば、前記複数の加工用下穴は、一方の多角形凹形状が、前記側面給油穴の開口側から見た形状が三角形とされた凹形状である三角形凹形状であり、他方の多角形凹形状が、前記側面給油穴の開口側から見た形状が四角形とされた凹形状である四角形凹形状であることは好ましい。このような構成であれば、それぞれの加工用下穴の異なる多角形凹形状により、使用される潤滑油経路に応じた貫通穴の追加工位置を確実に区別できるので、仕様に応じた潤滑油経路に通じる貫通穴の追加工作業を容易とする上でより好適である。
【００１７】
また、本発明の一態様に係る直動案内装置用エンドキャップにおいて、前記側面給油穴は、前記エンドキャップの両側面にそれぞれ設けられ、前記両側面の側面給油穴は、前記複数の加工用下穴が、相互に異なった多角形凹形状によって成形されていることは好ましい。このような構成であれば、仕様に応じ、左右の側面給油穴に貫通穴を追加工する際に、追加工する給油側の側面給油穴と追加工しない側面給油穴とを、複数の加工用下穴相互の凹形状の違いによって作業者に指示することができる。また、作業者はそれを目視によって確認することができるため、追加工箇所のミスを低減でき、一層の品質向上につながる。
【００１８】
また、本発明のうち、本発明の一態様に係る直動案内装置は、案内レールと、該案内レールに跨設されるスライダ本体と、該スライダ本体の前後両端それぞれに取り付けられるエンドキャップとを備え、前記スライダ本体が複数の転動体を介して前記案内レールに沿って相対移動する直動案内装置であって、前記エンドキャップとして、上記本発明の一態様に係る直動案内装置用エンドキャップを備えていることを特徴とする。
【００１９】
本発明の一態様に係る直動案内装置であれば、上記本発明の一態様に係る直動案内装置用エンドキャップを用いるので、エンドキャップの使用前に追加工箇所を目視で確認するだけで、直動案内装置への誤組み付けを防止できるため、品質向上につながる。特に、直動案内装置の水平姿勢仕様や垂直姿勢仕様に応じた誤組み付けを防止する上で好適である。
【発明の効果】
【００２０】
上述のように、本発明によれば、エンドキャップの側面給油穴に、潤滑油経路に通じる貫通穴の追加工作業が容易であり、また、追加工した貫通穴を目視で容易に確認することができる。
【図面の簡単な説明】
【００２１】
【図１】本発明に係るエンドキャップを備える直動案内装置の一実施形態であるリニアガイドの模式的平面図であり、同図ではその一部を破断した状態（一の無限循環路内を循環する転動体の径方向に沿った断面のイメージ）で図示している。
【図２】本発明に係るエンドキャップの一実施形態の説明図であり、同図は、リニアガイドの水平姿勢仕様に応じた潤滑油経路に通じる貫通穴を形成した例であって、図１でのＸ−Ｘ断面図を示している。
【図３】本発明に係るエンドキャップの側面給油穴を説明する図であり、同図（ａ）は、給油穴底面に成形されている複数の加工用下穴の多角形凹形状の一例を示す図（図２、図４でのＡ矢視図）であり、同図（ｂ）は、使用される潤滑油経路に通じる貫通穴が一方の加工用下穴に追加工された状態の図（図２でのＢ矢視図、および図５（ｃ）でのＤ矢視図）である。
【図４】本発明に係るエンドキャップの潤滑油経路および側面給油穴の説明図であり、同図は複数の加工用下穴に追加工が未加工の状態であって、同図（ａ）は図２に対応する図、（ｂ）は図４（ａ）での同図右方向から見た図である。
【図５】図４の側面給油穴の要部を説明する図であり、同図（ａ）は、リニアガイドの垂直姿勢仕様に対応し、左右二つの側面給油穴の給油穴底面に成形されている二つの加工用下穴のうち、一方（四角形凹形状の側）の加工用下穴に対して潤滑油経路に通じる貫通穴が追加工された状態を示す図であり、同図（ｂ）は（ａ）でのＣ矢視図、同図（ｃ）は、リニアガイドの水平姿勢仕様に対応し、他方（三角形凹形状の側）の加工用下穴に対して潤滑油経路に通じる貫通穴が追加工された状態を示す図である。
【図６】本発明に係るエンドキャップの潤滑油経路および側面給油穴を説明する図であり、同図は、リニアガイドの垂直姿勢仕様に応じた潤滑油経路に通じる貫通穴を形成した例であって、図２に対応する図を示している。
【図７】従来の直動案内装置の一例であるリニアガイドの斜視図であり、同図ではその一部を破断した状態で図示している。
【図８】従来のエンドキャップにおいて、そのエンドキャップ側面から潤滑剤を供給した例の概念図である。
【図９】従来の側面給油穴を説明する図であり、同図（ａ）は加工用下穴が円形凹形状の例であり、同図（ｂ）は、（ａ）の例に対して潤滑油経路に通じる貫通穴が追加工された状態の図である。
【発明を実施するための形態】
【００２２】
以下、本発明のエンドキャップを備える直動案内装置の一実施形態であるリニアガイドについて、図面を適宜参照しつつ説明する。なお、上述した従来の直動案内装置と同様または対応する構成については、同一の符号を付して説明する。
図１に示すように、このリニアガイド１０は、直線状に形成された案内レール１と、その案内レール１に跨設された略コ字状の横断面形状をもつスライダ２とを備えている。この案内レール１には、その左右側面部に、軌道として転動体転動溝４が二条ずつ計四条形成されている。一方、スライダ２は、その内面部に、案内レール１の各転動体転動溝４にそれぞれ対向する四つの軌道として転動体転動溝６を有している。そして、これら案内レール１およびスライダ２相互の転動体転動溝４，６から構成される転動体転動路８に複数の転動体３が介装されている。なお、転動体３は、ころであってもボールであってもよい。本実施形態は転動体３がころの例である。
【００２３】
さらに、図１に示すように、スライダ２は、スライダ本体５と、このスライダ本体５の両端面部５ａに装着された一対のエンドキャップ７とを備えている。スライダ本体５は金属製であり、その内部には、転動体転動溝６と並行して自身の軸方向に貫通する転動体戻し通路１１が形成されている。
一方、一対のエンドキャップ７は、合成樹脂製であり、スライダ本体５の外形形状と略相似形状且つ略同一の寸法をなす略コ字状に形成されている（図２参照）。各エンドキャップ７は、スライダ２の両端面に二本の固定ねじ２８で取り付けられている。なお、このリニアガイド１０には、図１に示すように、スライダ２の相対移動方向での端面となる、各エンドキャップ７の外側面に、サイドシール９がそれぞれ取り付けられている。サイドシール９は、不図示のリップ部以外はエンドキャップ７の外形形状と略相似形状且つ同一の寸法に形成されており、そのリップ部によって塵埃などの異物が案内レール１とエンドキャップ７との間からスライダ２の内部に侵入するのを防止している。
【００２４】
図２に示すように、各エンドキャップ７には、左右の袖部７ｓにリターンガイド１３がそれぞれ取り付けられている。各エンドキャップ７の内部には、外側のエンドキャップ７と内側のリターンガイド１３とによって、略Ｕ字状の方向転換路１２（図１参照）が左右の袖部７ｓにそれぞれ形成されている。
各方向転換路１２は、図１に示すように、転動体戻し通路１１および転動体転動路８の端部同士を繋いでおり、上記転動体転動路８、転動体戻し通路１１および両側の方向転換路１２によって円環状の無限循環路が４つ構成される。そして、各無限循環路に対し、転動体転動路８に介装されるとともに、方向転換路１２および転動体戻し通路１１に遊嵌して上記複数の転動体３が装填される。
【００２５】
これにより、スライダ２の相対移動に伴って転動体転動路８を転動した転動体３は、一方のエンドキャップ７内の方向転換路１２で方向転換した後、転動体戻し通路１１に導入されて反対側の方向転換路１２から再び転動体転動路８に戻るという循環をしつつ、これら複数の転動体３を介してスライダ２が案内レール１の長手方向に沿って相対移動可能になっている。
【００２６】
ここで、上記各エンドキャップ７は、図２に示すように、スライダ本体５端面と対向する接合面７ｍに、各方向転換路１２に潤滑剤を供給するために、複数の潤滑油経路２１，２２を備えている。本実施形態では、第一の潤滑油経路２１と第二の潤滑油経路２２の二つの潤滑油経路を用いて異なる油路を使い分けることにより、リニアガイド１０の水平姿勢仕様（図２参照）や垂直姿勢仕様（図６参照）に応じた最適な潤滑油経路が構成されるようになっている。以下、このエンドキャップ７について図２〜図６を適宜参照しつつ詳しく説明する。
【００２７】
エンドキャップ７は、図２に示すように、略コ字状をなすことで、幅方向での中央に位置する胴部７ｄと、その胴部７ｄ両側に形成された一対の袖部７ｓとを有している。
第一の潤滑油経路２１は、胴部７ｄの上面側に設けられ、図５（ａ）に拡大図示するように、左右方向に沿って延在された主管路部２１ａと、主管路部２１ａの両端部に連通する縦管路部２１ｂと、縦管路部２１ｂの先端に連通するとともに、エンドキャップ７の厚み方向に延びる端部通路２１ｃとを有する。主管路部２１ａは、中央の位置で正面給油口２５に連通している。
【００２８】
第二の潤滑油経路２２は、胴部７ｄの下面側に設けられ、図５（ａ）に拡大図示するように、左右方向に沿って延在された主管路部２２ａと、主管路部２２ａの両端部に連通するとともに袖部７ｓの下方に延びる支流管路２４と、支流管路２４から分岐して袖部７ｓの上方に延びる縦管路部２２ｂと、縦管路部２２ｂの先端に連通するとともにエンドキャップ７の厚み方向に延びる端部通路２２ｃとを有する。主管路部２２ａは、中央の位置で正面給油口２５に連通している。本実施形態の例では、第二の潤滑油経路２２は、左右の支流管路２４が、左右各二条の無限循環路に対応する左右二つの方向転換路１２毎に、それぞれ対向して形成された連通口（不図示）を有している。なお、第一の潤滑油経路２１と第二の潤滑油経路２２とは、貫通穴２７の加工時に相互が干渉しないように、エンドキャップ７の厚み方向での各端部通路２１ｃ、２２ｃ形成位置が調整されている。
【００２９】
さらに、エンドキャップ７の胴部７ｄには、図２に示すように、当該胴部７ｄの幅方向中央ＣＬから離間した位置（同図の例では右側の端面７ｔ）に、潤滑油経路２１、２２に対して外部から潤滑剤を側面から導入するための潤滑剤供給口２６が設けられている。この潤滑剤供給口２６は、その軸方向に貫通する細径の貫通穴２７が追加工により穿孔される。同図の例では、この貫通穴２７が第一の潤滑油経路２１に連通するように、端部通路２１ｃに対向する位置に追加工により形成されている。そして、貫通穴２７を穿孔した右側の潤滑剤供給口２６の雌ねじにニップル２６ｎが取り付けられ、このニップル２６ｎに不図示の供給管路が着脱可能に接続されるようになっている。
【００３０】
なお、胴部７ｄの幅方向中央の位置については、正面給油口２５が各潤滑油経路２１、２２に連通するように設けられているが、本実施形態の例では、貫通穴２７を追加工した側のエンドキャップ７については、埋栓２５ｂによって正面給油口２５自体が閉塞されながらも、第一の潤滑油経路２１と第二の潤滑油経路２２の相互は、埋栓２５ｂに貫通形成されている連通孔２３を介して連通状態が確保されている。また、他方のエンドキャップ７については、潤滑剤供給用には使用しないため、エンドキャップ７の両側面７ｔの側面給油穴３０ともに潤滑油経路２１、２２に連通しないように連通穴２７の追加工がされておらず、正面給油口２５についても連通孔を有しない埋栓２５ｂによって閉塞されている。
【００３１】
これにより、図２に示すリニアガイド１０の水平姿勢仕様の例では、潤滑剤を外部からニップル２６ｎに圧送することによって、潤滑剤供給口２６から貫通穴２７を介して第一の潤滑油経路２１に潤滑剤が導入され、さらに第一の潤滑油経路２１に導入された潤滑剤が中央の連通孔２３から第二の潤滑油経路２２に圧送され、第二の潤滑油経路２２の左右の支流管路２４の各連通口から各方向転換路１２に潤滑剤が供給されるようになっている。なお、同図にて潤滑油経路に沿って示す矢印は、リニアガイド１０の水平姿勢仕様での潤滑剤の流れのイメージを示している。
【００３２】
ここで、このエンドキャップ７は、図４に追加工前の状態を示すように、左右の両側面７ｔに、潤滑剤供給口２６を形成するための側面給油穴３０が成形時に予め成型されている（図２の左側の端面に設けられている有底穴形状が、成形時に予め両側面７ｔに成型されている）。そして、貫通穴２７が未加工時の側面給油穴３０には、その給油穴底面２８に、複数の加工用下穴が形成されている。本実施形態では、複数の加工用下穴として、二つの加工用下穴２８、２９が成形されている。二つの加工用下穴２８、２９は、リニアガイド１０の仕様に対応して、使用される潤滑油経路に応じた貫通穴２７を追加工すべき位置にそれぞれ設けられている。
【００３３】
詳しくは、各加工用下穴２８、２９は、側面給油穴３０の開口側から見た形状が多角形とされた凹形状である多角形凹形状に成形されている。本実施形態の例では、図３（ａ）に拡大図示するように、二つの加工用下穴２８、２９は、相互に異なる多角形状により成形されている。この例では、一方の加工用下穴２９は、側面給油穴３０の開口側から見た形状が三角形とされた凹形状である三角形凹形状であり、他方の加工用下穴２８は、側面給油穴３０の開口側から見た形状が四角形（この例では角を上下に向けて形成されたひし形）とされた凹形状である四角形凹形状である。本実施形態の例では、同図下側の加工用下穴２９は、リニアガイド１０の水平姿勢仕様に応じた潤滑油経路に通じる貫通穴の追加工作業用であり、同図上側の加工用下穴２８は、リニアガイド１０の垂直姿勢仕様に応じた潤滑油経路に通じる貫通穴の追加工作業用である。
【００３４】
これにより、このエンドキャップ７は、リニアガイド１０の仕様（取付姿勢、給油位置）や装置周辺の部材構成との兼ね合いに応じ、潤滑剤供給口２６のタップ加工および連通穴２７を追加工で形成することによって、側面給油穴３０を潤滑剤供給口２６として使用可能になっている。
本実施形態の例では、リニアガイド１０が水平姿勢仕様で用いられる場合には、図２を参照して説明したように、給油穴底面３２下側の加工用下穴２９に対して潤滑油経路２１の端部通路２１ｃに通じる貫通穴２７が追加工される（図５（ｃ）、図３（ｂ）参照）。また、リニアガイド１０が垂直姿勢仕様で用いられる場合には、図６に示すように、給油穴底面３２上側の加工用下穴２８に対して潤滑油経路２２の端部通路２２ｃに通じる貫通穴２７が追加工される（図５（ａ）、（ｂ）参照）。
【００３５】
このように、本実施形態のエンドキャップ７は、エンドキャップの成形時には、図４に示したように、複数の潤滑油経路２１、２２に通じる貫通穴２７が両側面７ｔの側面給油穴３０に成形されておらず、エンドキャップ７の側面から給油する際に、リニアガイド１０の仕様（取付姿勢、給油位置）や装置周辺の部材構成との兼ね合いに応じ、潤滑剤供給口２６とする給油側の側面給油穴３０に、ニップル２６ｎ装着用の雌ねじや貫通穴２７等の必要な追加工が施される。
【００３６】
次に、このエンドキャップ７およびこれを備えるリニアガイド１０の作用・効果について説明する。
上述のリニアガイド１０は、二つの潤滑油経路２１、２２を有するエンドキャップ７を備え、このエンドキャップ７には、潤滑剤供給口２６とするための側面給油穴３０の給油穴底面３２に二つの加工用下穴２８，２９が成形されている。そして、二つの加工用下穴２８，２９は、二つの潤滑油経路２１、２２に対して、リニアガイド１０の装着姿勢等の仕様に応じ、使用される潤滑油経路に応じた貫通穴２７を追加工すべき位置に形成されており、二つの加工用下穴２８，２９は、側面給油穴３０の開口側から見た形状が多角形とされた凹形状である多角形凹形状により成形されているので、使用される潤滑油経路に通じる貫通穴２７の追加工により、図３に示すように、側面給油穴３０の給油穴底面３２に成形された多角形凹形状（三角形凹形状（同図（ａ）参照））２９は、開口側から見た形状が円形状に変化する（同図（ｂ）参照）。そのため、追加工前後の識別が目視で容易に確認できる。
【００３７】
したがって、給油位置に合わせて追加工箇所が異なる数種のエンドキャップが存在した場合であっても、エンドキャップの使用前に追加工箇所を目視で確認するだけで、リニアガイド１０への誤組み付けを防止できるため、品質向上につながる。また、このエンドキャップ７によれば、エアーを吹いたり針金を通したりして貫通穴の貫通状態を確認するのに比べて、目視で確認するだけで容易に且つ短時間で追加工前後の状態を識別することができるため、リニアガイド１０の生産性の低下を抑制できる。
【００３８】
また、このエンドキャップ７によれば、リニアガイド１０の装着姿勢等の仕様に応じ、いずれかの潤滑油経路２１、２２と通じる貫通穴２７を側面給油穴３０に追加工する際に、加工用下穴２８、２９の多角形凹形状の壁面によってドリルの周面を位置決めすることができるので、一般的な円形凹形状に比べて安定した位置決め姿勢で追加工をすることができる。また、エンドキャップ７の側面７ｔに対して垂直に貫通穴２７を加工し易くなる。よって、貫通穴２７を連通させるべきいずれかの潤滑油経路２１、２２から外れるような追加工ミスが軽減されるため、リニアガイド１０の品質の向上につながる。特に、多角形凹形状が三角形凹形状であれば、三角凹形状の壁面によってドリルの周面を３点で位置決めすることができるので、安定した位置決め姿勢で追加工をする上で好適である。
【００３９】
また、このエンドキャップ７によれば、複数の加工用下穴２８、２９は、相互に異なる多角形状により成形されているので、仕様に応じた潤滑油経路に通じる貫通穴の追加工作業に際し、追加工する加工用下穴と追加工しない加工用下穴とを、複数の加工用下穴相互の凹形状の違いによって作業者に指示することができる。また、作業者はそれを目視によって確認することができる。そのため、追加工箇所のミスを低減でき、一層の品質向上につながる。
【００４０】
特に、本実施形態にあっては、複数の加工用下穴２８、２９は、側面給油穴３０の上下に二箇所形成されており、一方の加工用下穴２９は、図２に示すリニアガイド１０の水平姿勢仕様に応じた潤滑油経路２１に通じる貫通穴２７の追加工作業用であり、他方の加工用下穴２８は、図６に示すリニアガイド１０の垂直姿勢仕様に応じた潤滑油経路２２に通じる貫通穴２７の追加工作業用となっているので、それぞれの加工用下穴の異なる多角形凹形状により、使用される潤滑油経路に応じた貫通穴の追加工位置を確実に区別できる。そのため、仕様に応じた潤滑油経路に通じる貫通穴の追加工作業を容易とする上でより好適である。
【００４１】
以上説明したように、上記エンドキャップ７およびこれを備えるリニアガイド１０によれば、エンドキャップ７が二つの潤滑油経路２１、２２を有し、二つの潤滑油経路２１、２２に対し、エンドキャップ７の側面給油穴３０に、リニアガイド１０の装着姿勢等の仕様に応じて使用される潤滑油経路に応じた位置に多角形凹形状の複数の加工用下穴が成形されているので、使用される潤滑油経路に応じた貫通穴２７の追加工作業が容易であり、また、追加工した貫通穴２７を目視で容易に確認することができる。
【００４２】
なお、本発明に係る直動案内装置用エンドキャップおよびこれを備える直動案内装置は、上記実施形態に限定されるものではなく、本発明の趣旨を逸脱しなければ種々の変形が可能である。
例えば、上記実施形態では、左右両側の側面給油穴３０が、二つの加工用下穴２８、２９を有し、二つの加工用下穴２８、２９が、三角形凹形状と四角形凹形状である例で説明したが、これに限定されず、側面給油穴３０の開口側から見た形状は、円形状以外の多角形であれば、種々の多角形（例えば五角形、六角形、八角形等）とされた凹形状としてもよい。また、二つの加工用下穴２８、２９の多角形凹形状が同じ形状であってもよいし、さらに、エンドキャップ７の両側面７ｔの側面給油穴３０について、両側面の加工用下穴２８、２９が、左右が同じ多角形凹形状であってもよい。しかし、追加工した貫通穴を目視で容易に確認し、確実に区別する上では、一の側面給油穴３０の二つの加工用下穴２８、２９を相互に異なる多角形凹形状とすることが好ましい。
【００４３】
また、両側面７ｔの側面給油穴３０相互の加工用下穴の多角形凹形状を相互に異ならせてもよい。このような構成であれば、左右の側面給油穴３０に貫通穴２７を追加工する際に、追加工する側の側面給油穴３０を左右の凹形状の違いによって作業者に指示することができる。また、作業者はそれを目視によって確認することができるため、追加工箇所のミスを低減でき、一層の品質向上につながるという効果がある。そして、勿論このような構成であっても、上記実施形態同様に、貫通穴２７の追加工作業が容易であり、また、追加工の前後の形状の違いによって、追加工した貫通穴２７を目視で容易に確認することができる。
【符号の説明】
【００４４】
１  案内レール
２  スライダ
３  転動体
４  （案内レールの）転動体転動溝
５  スライダ本体
６  （スライダの）転動体転動溝
７  エンドキャップ
８  方向転換路
９  サイドシール
１０  リニアガイド（直動案内装置）
１１  転動体戻し通路
１２  方向転換路
１３  リターンガイド
２１  第一の潤滑油経路
２２  第二の潤滑油経路
２３  連通孔
２４  支流管路
２５  正面給油口
２６  （側面用の）潤滑剤供給口
２７  貫通穴
２８  加工用下穴
３０  側面給油穴
３２  給油穴底面
【図１】
2015143557.tif 000003
【図２】
2015143557.tif 000004
【図３】
2015143557.tif 000005
【図４】
2015143557.tif 000006
【図５】
2015143557.tif 000007
【図６】
2015143557.tif 000008
【図７】
2015143557.tif 000009
【図８】
2015143557.tif 000010
【図９】
2015143557.tif 000011